(57)【要約】【課題】  画像記録後の銀塩カラー感光材料が排紙されるとき、その画像記録面が自動的に表側または裏側になって排紙されるようにした画像記録装置及び画像記録装置用の排紙装置を提供する。【解決手段】  この画像記録装置は、画像データに基づいて波長の異なる複数の光源により感光紙Ｓを露光し現像し、その現像後の感光紙を排紙するための排紙装置２７を備え、排紙装置は、排紙のために搬送される感光紙の先端を検出する先端検知部２６ｂと、感光紙に付けられた識別マークを読み込むための読込センサ７２と、読み込まれた識別マークの情報に基づいて排紙される感光紙の反転・非反転を切り換える反転ガイド７６と、を備える。【選択図】  図３
2005099397.tif 000002
【特許請求の範囲】
【請求項１】
画像データに基づいて波長の異なる複数の光源によりシート状の銀塩カラー感光材料を露光し現像し、その現像後の銀塩カラー感光材料を排紙するための排紙装置を備える画像記録装置において、
前記排紙装置は、前記排紙のために搬送される銀塩カラー感光材料の先端を検出する先端検知手段と、前記銀塩カラー感光材料に付けられた識別マークを読み込むための読込手段と、前記読み込まれた識別マークの情報に基づいて前記排紙される銀塩カラー感光材料の反転・非反転を切り換える排紙切換手段と、を備えることを特徴とする画像記録装置。
【請求項２】
前記先端検知手段で前記先端を検出すると時間のカウントを開始する第１タイマ手段を備え、
前記第１タイマ手段によりカウントされた時間に基づいて前記読込手段が動作するとともに、前記カウントした時間が所定時間を経過しても前記読込手段が前記識別マークを読み込まないとき、前記銀塩カラー感光材料のジャムを知らせるように構成したことを特徴とする請求項１に記載の画像記録装置。
【請求項３】
前記排紙切換手段は、前記先端検知手段及び前記読込手段よりも下流側に配置されるとともに、前記識別情報は前記銀塩カラー感光材料の排紙方向先頭側に付けられていることを特徴とする請求項１または２に記載の画像記録装置。
【請求項４】
前記読込手段で前記銀塩カラー感光材料を検知すると、前記タイマ手段とは別の第２タイマ手段で時間のカウントを開始し、所定時間が経過したら、前記排紙切換手段が反転・非反転を切り換えることを特徴とする請求項２に記載の画像記録装置。
【請求項５】
前記識別マークは外部からの命令により前記露光時に付けられることを特徴とする請求項１乃至４のいずれか１項に記載の画像記録装置。
【請求項６】
情報を入力可能な操作パネルを備え、前記操作パネルから前記識別マークのための情報が入力され設定可能であることを特徴とする請求項５に記載の画像記録装置。
【請求項７】
前記識別マークのための情報は、前記画像記録装置に対し前記画像データを送る画像転送手段で設定されることを特徴とする請求項５に記載の画像記録装置。
【請求項８】
前記画像データを生成する画像処理装置において前記識別マークのための情報を付帯させた前記画像データが前記画像記録装置に送信されることを特徴とする請求項５に記載の画像記録装置。
【請求項９】
前記排紙切換手段による反転制御のために、前記識別マークの白黒のしきい値、前記読込手段を構成する反射センサのＯＮ・ＯＦＦの感度、前記銀塩カラー感光材料の種類毎の白地のしきい値、前記第１タイマ手段によるカウント時間、及び前記銀塩カラー感光材料の搬送速度の内の少なくとも１つのパラメータを設定可能であることを特徴とする請求項１乃至８のいずれか１項に記載の画像記録装置。
【請求項１０】
前記先端検知手段が前記画像記録装置側に配置されている請求項１乃至９のいずれか１項に記載の画像記録装置。
【請求項１１】
請求項１乃至１０のいずれか１項に記載の前記排紙装置が、画像データに基づいて波長の異なる複数の光源によりシート状の銀塩カラー感光材料を露光し現像する画像記録装置に着脱可能に構成されたことを特徴とする排紙装置。
【発明の詳細な説明】
【技術分野】
【０００１】
本発明は、銀塩カラー感光材料を露光し現像する画像記録装置及び画像記録装置に着脱自在な排紙装置に関するものである。
【背景技術】
【０００２】
従来、銀塩カラー感光材料を露光し現像する画像記録装置の現像部から排紙される画像記録後の銀塩カラー感光材料は、画像の形成された面が常に表側になって排紙されていた。しかし、ユーザによっては、画像の形成された面が裏側になって排紙されることを望む場合がある一方、画像の形成された面が表側で排紙されることを望む場合もあった。
【発明の開示】
【発明が解決しようとする課題】
【０００３】
本発明は、上述のような従来技術の問題に鑑み、画像記録後の銀塩カラー感光材料が排紙されるとき、その画像記録面が自動的に表側または裏側になって排紙されるようにした画像記録装置及び画像記録装置用の排紙装置を提供することを目的とする。
【課題を解決するための手段】
【０００４】
上記目的を達成するために、本発明による画像記録装置は、画像データに基づいて波長の異なる複数の光源によりシート状の銀塩カラー感光材料を露光し現像し、その現像後の銀塩カラー感光材料を排紙するための排紙装置を備える画像記録装置において、前記排紙装置は、前記排紙のために搬送される銀塩カラー感光材料の先端を検出する先端検知手段と、前記銀塩カラー感光材料に付けられた識別マークを読み込むための読込手段と、前記読み込まれた識別マークの情報に基づいて前記排紙される銀塩カラー感光材料の反転・非反転を切り換える排紙切換手段と、を備えることを特徴とする。
【０００５】
この画像記録装置によれば、銀塩カラー感光材料に付けられた識別マークの情報に基づいて排紙時の銀塩カラー感光材料の反転・非反転を切り換えるので、銀塩カラー感光材料の画像記録面を自動的に表側または裏側にして排紙できる。
【０００６】
上記画像記録装置において前記先端検知手段で前記先端を検出すると時間のカウントを開始する第１タイマ手段を備え、前記第１タイマ手段によりカウントされた時間に基づいて前記読込手段が動作するとともに、前記カウントした時間が所定時間を経過しても前記読込手段が前記識別マークを読み込まないとき、前記銀塩カラー感光材料のジャムを知らせるように構成することで、先端検知手段と読込手段との間における銀塩カラー感光材料のジャムを検知できる。
【０００７】
また、前記排紙切換手段は、前記先端検知手段及び前記読込手段よりも下流側に配置されるとともに、前記識別情報は前記銀塩カラー感光材料の排紙方向先頭側に付けられていることが好ましい。
【０００８】
また、前記読込手段で前記銀塩カラー感光材料を検知すると、前記タイマ手段とは別の第２タイマ手段で時間のカウントを開始し、所定時間が経過したら、前記排紙切換手段が反転・非反転を切り換えるように構成してもよい。
【０００９】
また、前記識別マークは外部からの命令により前記露光時に付けられるように構成できる。例えば、情報を入力可能な操作パネルを備え、前記操作パネルから前記識別マークのための情報が入力され設定可能にできる。
【００１０】
また、前記識別マークのための情報は、前記画像記録装置に対し前記画像データを送る画像転送手段で設定されるようにできる。また、前記画像データを生成する画像処理装置において前記識別マークのための情報を付帯させた前記画像データが前記画像記録装置に送信されるようにしてもよい。
【００１１】
また、前記排紙切換手段による反転制御のために、前記識別マークの白黒のしきい値、前記読込手段を構成する反射センサのＯＮ・ＯＦＦの感度、前記銀塩カラー感光材料の種類毎の白地のしきい値、前記第１タイマ手段によるカウント時間、及び前記銀塩カラー感光材料の搬送速度の内の少なくとも１つのパラメータを設定可能であるように構成することが好ましい。
【００１２】
また、前記先端検知手段を前記画像記録装置側に配置されるように構成してもよい。これにより、画像記録装置側にある先端検知手段を用いることができるので、排紙装置の構成が簡単となる。
【００１３】
本発明による排紙装置は、上述の排紙装置が画像データに基づいて波長の異なる複数の光源によりシート状の銀塩カラー感光材料を露光し現像する画像記録装置に着脱可能に構成されたことを特徴とする。
【００１４】
この排紙装置によれば、銀塩カラー感光材料に付けられた識別マークの情報に基づいて排紙時の銀塩カラー感光材料の反転・非反転を切り換えるので、銀塩カラー感光材料の画像記録面を自動的に表側または裏側にして排紙できる。また、画像記録装置に着脱可能であるので、画像記録装置において必要に応じて銀塩カラー感光材料の反転制御が可能となる。排紙装置に反射センサ等の読込手段を設けることにより、既存の画像記録装置に読込手段を追加する必要がなくなる。また、画像記録装置側にある先端検知手段を用いれば、排紙装置を簡単に構成できる。
【発明の効果】
【００１５】
本発明の画像記録装置及び画像記録装置用の排紙装置によれば、画像記録後の銀塩カラー感光材料が排紙されるとき、その画像記録面が自動的に表側または裏側になって排紙できる。
【発明を実施するための最良の形態】
【００１６】
以下、本発明を実施するための最良の形態について図面を用いて説明する。図１は本実施の形態による画像記録装置全体の外観を示す斜視図である。図２は図１の画像記録装置の内部を正面側から見た図である。
【００１７】
図１、図２に示すように、画像記録装置１は、印刷出力対象の絵柄、色調、文章、文字等の確認を行うためのカラープルーフ（校正用サンプル）を作成するものであって、銀塩カラー感光材料（以下、単に「感光材料」または「感光紙」ともいう。）に露光し画像を形成する露光ユニット１１と、露光された記録材料を現像する現像ユニット２１と、を備える。
【００１８】
露光ユニット１１は、図１，図２のように、前面からメンテナンスできるように開閉可能な前面パネル５と、各種情報の表示とタッチパネルからなり装置全体の操作のために各種情報が入力可能な入力表示部２と、内部にシート状の感光材料（感光紙）をロール状に巻回して収容したカートリッジ１３を給紙カバー３，４の開放後に装填可能な装填部１２，１２’と、を備える。
【００１９】
現像ユニット２１は、メンテナンスのために開閉可能な上面パネル６と、前面には、現像処理液等の補充等のために開閉可能に設けられた補給パネル７と、を備える。
【００２０】
図２に示すように、画像記録装置１の露光ユニット１１は、内部にロール状に巻かれた感光紙を収容したカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、装置外部から入力した網点画像データに基づいてドラム１０上の感光紙に対しＬＥＤ光等の光ビームを露光する光学ユニット１６と、光学ユニット１６を副走査のために副走査方向（図２の紙面垂直方向）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００２１】
図２の画像記録装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２２】
また、搬送ローラ対４２の下流側近傍に配置された比較的幅狭の従動ローラ４３は感光紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２３】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００２４】
図２の現像ユニット２１は、露光ユニット１１から送られた露光後の感光紙について湿式現像を行い、感光紙を乾燥してから外部へと排出するもので、感光紙の現像処理を行う現像部２３と、定着処理を行う定着部２４と、安定処理を行う安定部２５と、安定処理後の感光紙を乾燥させる乾燥処理を行う乾燥部２６と、排出ローラ対２６ａで外部に向け排出された乾燥後の感光紙を装置上面へと搬送し排紙する排紙部２７と、を備える。感光紙は、排紙部２７から装置上面２１ａに設けられたトレイ状の集積部６１へと排紙される。
【００２５】
図１，図２の排紙部２７について図３を参照して説明する。図３は図１，図２の現像ユニットに取り付けられた排紙部を示す要部正面図である。
【００２６】
図１乃至図３に示すように、排紙部２７は、その筐体２７ａが現像ユニット２１の側面上部に取り付けられており、筐体２７ａの内部に感光紙の搬送反転機構２７ｂ等が設けられている。
【００２７】
また、現像ユニット２１の乾燥部２６の下方であって排出ローラ対２６ａの下流側に、現像された感光紙Ｓの先端Ｓ１を検知する先端検知部２６ｂが配置されている。先端検知部２６ｂは先端Ｓ１と当接して破線のように回動するアーム部２６ｃを備え、アーム部２６ｃの回動により感光紙Ｓの先端Ｓ１を検知する。
【００２８】
図３のように、排紙部２７の搬送反転機構２７ｂは、上流側から下流側に向けて順に、現像ユニット２１の排出ローラ対２６ａにより排出された乾燥後の感光紙の入口部７０と、感光紙を搬送する第１の搬送ローラ対７１と、感光紙の先頭側に付けられた識別マークを読み込むための反射型センサ等からなる読込センサ７２と、感光紙を搬送する第２，第３，第４の搬送ローラ対７３，７４，７５と、感光紙の反転・非反転のために回動軸７６ａによりガイド位置と非ガイド位置との間を回動する反転ガイド７６と、感光紙を反転する際にガイド位置にある反転ガイド７６を通して送られた感光紙を退避部７８にいったん退避させるために搬送する反転搬送ローラ対７７と、感光紙を下方にガイドする滑り板状のガイド７９を通して感光紙を現像ユニット２１の上面へと排紙する出口８０と、を筐体２７ａ内に備える。
【００２９】
読込センサ７２で読み込まれた識別マークの情報に基づいて反転ガイド７６は、反転しないときは図の破線の非ガイド位置に、反転するときは図の実線のガイド位置に至るように回動軸７６ａがモータＭ１（図４）により回動する。この反転ガイド７６の動作タイミングは、先端検知部２６ｂが感光紙の先端Ｓ１を検知すると作動するタイマ６５（図４）により制御される。
【００３０】
排紙部２７の搬送反転機構２７ｂは、入口部７０から第４の搬送ローラ対７５に至るまで感光紙の搬送系路を形成するように断続的に設けられたガイド部材２７ｃと、第４の搬送ローラ対７５の下流側近傍に配置され感光紙の後端を検知する反射型センサ等の後端検知部７５ａと、を備える。
【００３１】
感光紙を反転するとき、第４の搬送ローラ対７５からガイド位置にある反転ガイド７６を通して反転搬送ローラ対７７で退避部７８に送り、反射型センサ７５ａが感光紙の後端を検知すると、反転ガイド７６を図の破線の非ガイド位置に回動させかつ反転搬送ローラ７７を逆回転させて、感光紙をガイド７９を通して出口８０へと排出する。
【００３２】
各搬送ローラ対７１，７３〜７５は、現像ユニット２１の排出ローラ対２６ａ等と同期して駆動されるが、排出ローラ対２６ａと同じ速度か、または、排出ローラ対２６ａよりも速く回転駆動され、感光紙を現像ユニット２１側の搬送速度と同じか、または、それよりも速い速度で搬送するようになっている。
【００３３】
次に、図１乃至図３の画像記録装置の制御系について図４を参照して説明する。図４は図１〜図３の画像記録装置１の露光ユニット１１における画像データの流れ及び画像記録装置１の制御系のブロック図である。
【００３４】
図４に示すように、図１〜図３の画像記録装置１は、カラープルーフを作成するために外部の画像処理装置であるＲＩＰ(Raster Image Processor)４９でラスターデータから網点画像データを作成し、この網点画像データがＲＩＰ４９から露光ユニット１１に転送されるようになっている。
【００３５】
露光ユニット１１は、図４のように、外部のＲＩＰ４９からの網点画像データが転送部４９ａを介して入力する画像データＩ／Ｆ部５２と、画像データＩ／Ｆ部５２からの網点画像データをいったん記憶し随時出力するハードディスク記憶装置等からなるデータバッファ５３と、データバッファ５３からの網点画像データに基づいて感光紙に対する露光のための露光データを作成するルックアップテーブル５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３６】
各ＬＥＤユニット３２０〜３２２等が図２の光学ユニット１６内に含まれ、網点画像データに基づいて図２のドラム１０上の感光紙に対し光ビームを露光することで画像を記録する。
【００３７】
図４の制御部５０は、中央演算処理装置（ＣＰＵ）等から構成され、先端検知部２６ｂ、タイマ６５，読込センサ７２及び後端検知部７５ａから各信号が入力し、反転ガイド用モータＭ１及び反転搬送ローラ用モータＭ２及び他の装置部分を制御する。
【００３８】
また、感光紙の排紙時の反転・非反転の制御のための識別マークを光学ユニット１６から露光時に感光紙の先頭側に形成するために、入力表示部２から識別マークのための情報を入力し制御部５０に設定する。
【００３９】
なお、識別マークの情報は、装置外部のＲＩＰ４９で画像データの付帯情報として予め設定しておいてもよく、また、画像転送部４９ａで設定するようにしてもよい。また、入力表示部２から識別マークのための情報を入力するようにすれば、画像転送部４９ａまたは画像処理装置（ＲＩＰ）４９のソフト改修が不要となる。
【００４０】
また、識別マークを読み込む読込センサ７２は反射型センサから構成されることで、識別マークの白黒の２値データを判別できる。
【００４１】
次に、図１乃至図４の画像記録装置１における動作について図５のフローチャートを参照して説明する。
【００４２】
まず、外部のＲＩＰ４９から転送された網点画像データが入力し（Ｓ０１）、入力表示部２から識別マークのための情報を入力し設定してから（Ｓ０２）、感光紙を装填部１２または１２’内のカートリッジ１３から搬送し、ドラム１０に吸着させドラム１０を回転させながら光学ユニット１６から光ビームを画像データに基づいて露光する（Ｓ０３）。このとき、感光紙の排紙時の反転・非反転の制御のための識別マークが感光紙の先頭側に形成されるが、この識別マークが例えば反転制御を指示するものであるとして、以下の動作を説明する。
【００４３】
次に、図２のように、露光により感光した感光紙をドラム１０から剥離位置にある剥離部材１５で剥離し、アキュームガイド部材１８でガイドしながら搬送ローラ対３２等で出口１９へと搬送し（Ｓ０４）、接続部１９ａから現像ユニット２１へと送り、感光紙の現像処理を行ってから（Ｓ０５）、排出ローラ対２６ａ等で図３の排出方向Ｔに搬送する（Ｓ０６）。なお、現像処理された感光紙Ｓの図３の上面側が画像の形成された画像面である。
【００４４】
次に、先端検知部２６ｂがアーム部２６ｃで感光紙Ｓの先端Ｓ１を検知すると（Ｓ０７）、図４のタイマ６５が作動する（Ｓ０８）一方、感光紙が入口部７０から排紙部２７内に入り、搬送ローラ対７１でガイド部材２７ｃを通して搬送する（Ｓ０９）。そして、読込センサ７２で感光紙の先頭側に形成された識別マーク（反転制御指示）を読み込むとともに（Ｓ１０）、感光紙を更に搬送ローラ対７３，７４でガイド部材２７ｃを通して搬送する（Ｓ１１）。
【００４５】
そして、感光紙の先端が第３の搬送ローラ対７４と第４の搬送ローラ対７５との間で図４のタイマ６５がカウントアップし（Ｓ１２）、識別マークから読み込んだ情報に基づいて反転または非反転制御であるかを判断し（Ｓ１３）、この場合、反転制御であるので、反転ガイド７６が図３の破線の非ガイド位置にあれば、図４のモータＭ１が作動し回動軸７６ａを駆動し、反転ガイド７６が図３の実線のガイド位置に回動する（Ｓ１４）。
【００４６】
次に、感光紙を反転ガイド７６を通してモータＭ２により駆動される反転搬送ローラ対７７で退避部７８へと送り退避させる一方（Ｓ１５）、感光紙が第４の搬送ローラ対７５から完全に抜け出し、後端検知部７５ａが感光紙の後端を検知すると（Ｓ１６）、モータＭ１を作動させ、反転ガイド７６が図３の破線の非ガイド位置に移動してから（Ｓ１７）、モータＭ２が逆回転し反転搬送ローラ対７７により感光紙をそれまでの後端を先頭にしてガイド７９に向け搬送する（Ｓ１８）。
【００４７】
感光紙は、ガイド７９から出口８０を通して装置上面２１ａに設けられた集積部６１へと排紙される（Ｓ２０）。このとき、感光紙は、反転されて画像記録面が上側の状態で排紙される。
【００４８】
また、識別マークが非反転制御を指示するものである場合、反転ガイド７６が図３の破線の非ガイド位置にあり、そのまま、第４の搬送ローラ対７５によりガイド７９に向け搬送する（Ｓ１９）。感光紙は、ガイド７９から出口８０を通して装置上面２１ａの集積部６１へと排紙される（Ｓ２０）。このとき、感光紙は、反転されないので画像記録面が下側の状態で排紙される。
【００４９】
以上のように、本実施の形態によれば、画像記録装置１の現像ユニット２１で現像され乾燥された感光紙は、排出ローラ対２６ａで現像ユニット２１から排出されると、排紙部２７の搬送反転機構２７ｂにより装置上部ヘと搬送されるが、感光紙に付けられた識別マークの情報に基づいて反転ガイド７６の位置を制御し、排紙時の感光紙の反転・非反転を切り換えるので、感光紙の画像記録面を自動的に表側または裏側にして排紙できる。
【００５０】
なお、図３の排紙部２７を現像ユニット２１に対し排出ローラ対２６ａの位置を基準に着脱自在に構成するようにしてもよく、必要に応じて、取り外して画像記録装置を使用でき、また、既存の画像記録装置に取り付けることもできる。この場合、排紙部２７に識別マークを読み込む読込センサを設けるので、既存の画像記録装置に読込センサを追加する必要がない。
【００５１】
また、図３の先端検知部２６ｂで感光紙Ｓの先端Ｓ１を検知し、タイマ６５がカウントを開始するが、このタイマ６５のカウント時間を基に読込センサ７２が識別マークを読み込むように動作させるように構成してもよい。この構成により、排紙部２７における識別マークの読込精度が向上する。また、タイマ６５のカウント時間を基にジャム検出を行うようにしてもよく、排紙部２７における感光紙のジャム検出の精度も向上する。
【００５２】
また、図５のステップＳ１３における反転・非反転制御のために、識別マークの白黒のしきい値、読込センサ７２を構成する反射センサのＯＮ・ＯＦＦの感度、感光紙の種類毎の白地のしきい値、タイマ６５により読込開始から計測されるカウント時間、及び感光紙の搬送速度等のパラメータを設定し、これらのパラーメータで反転・非反転を精度よく制御することができる。
【００５３】
また、識別マークを感光紙の所定位置に付けることで、画像の書き出し位置が画像や装置毎に異なっても、識別マークの読み出しには関係せず、識別マークを精度よく読み込むことができる。また、現像ユニット２１における搬送速度が異なる場合でも、また感光紙の種類が異なっていても、識別マークを精度よく読み込むことができる。
【００５４】
以上のように本発明を実施するための最良の形態について説明したが、本発明はこれらに限定されるものではなく、本発明の技術的思想の範囲内で各種の変形が可能である。例えば、図３の破線のように、第４の搬送ローラ対７５の上流側近傍に感光紙の先端を検知する反射型センサ等の先端検知部７５ｂを設け、先端検知部７５ｂで先端を検知することで、図５のステップＳ１３における反転・非反転を制御するようにしてもよい。この場合、タイマ６５を省略してもよく、また、タイマ６５とともにジャム検出を精度よく行うことができる。
【００５５】
また、読込センサ７２で感光紙を検知すると、タイマ６５とは別のタイマ６６（図４の破線で示す）時間のカウントを開始し、所定時間が経過したら、反転ガイド７６が作動し、感光紙の反転・非反転を切り換えるようにしてもよい。
【図面の簡単な説明】
【００５６】
【図１】本実施の形態による画像記録装置全体の外観を示す斜視図である。
【図２】図１の画像記録装置の内部を正面側から見た図である。
【図３】図１，図２の現像ユニットに取り付けられた排紙部を示す要部正面図である。
【図４】図１〜図３の画像記録装置１の露光ユニット１１における画像データの流れ及び画像記録装置１の制御系のブロック図である。
【図５】図１乃至図４の画像記録装置１における動作を説明するためのフローチャートである。
【符号の説明】
【００５７】
１ 画像記録装置
２ 入力表示部
１１ 露光ユニット
２１ 現像ユニット
２１ａ 装置上面
２６ａ 排出ローラ対
２６ｂ 先端検知部（先端検知手段）
２６ｃ アーム部
２７ 排紙部（排紙装置）
２７ａ 筐体
２７ｂ 搬送反転機構
２７ｃ ガイド部材
５０ 制御部
６１ 集積部
６５ タイマ（第１タイマ手段）
６６ タイマ（第２タイマ手段）
７２ 読込センサ
７５ａ 後端検知部
７５ｂ 先端検知部（第２先端検知手段）
７６ 反転ガイド（排紙切換手段）
７６ａ 反転ガイドの回動軸（排紙切換手段）
７７ 反転搬送ローラ対
７８ 退避部
７９ ガイド
８０ 出口
Ｍ１ 反転ガイド用モータ
Ｍ２ 反転搬送ローラ用モータ
Ｓ 感光紙（銀塩カラー感光材料）
Ｓ１ 先端
【図１】
2005099397.tif 000003
【図２】
2005099397.tif 000004
【図３】
2005099397.tif 000005
【図４】
2005099397.tif 000006
【図５】
2005099397.tif 000007